【手続補正書】
【提出日】平成19年6月29日(2007.6.29)
【手続補正１】
【補正対象書類名】明細書
【補正対象項目名】発明の名称
【補正方法】変更
【補正の内容】
【発明の名称】無線通信装置及び無線通信方式
【手続補正２】
【補正対象書類名】明細書
【補正対象項目名】特許請求の範囲
【補正方法】変更
【補正の内容】
【特許請求の範囲】
【請求項１】  送信フレームタイミングにあわせて、パイロットシンボルを生成するパイロット信号生成部と、
前記送信フレームタイミングにあわせて、送信データを用いて、ＰＳＫ変調シンボル、多値変調シンボル及びパイロットシンボルの直前直後のシンボルを生成する変調シンボル生成部と、
パイロットシンボルの直前直後のシンボルとパイロットシンボルと他の無線通信装置から送信される変調信号決定情報により選択されたＰＳＫ変調シンボル又は多値変調シンボルとを含む送信フレームを構成する切り替え部と、
送信フレームを無線送信する無線部と
を有する無線通信装置であって、
前記多値変調シンボルは、振幅成分に情報を含む１６値以上のシンボルであり、
パイロットシンボルの直前直後のシンボルは、ＰＳＫ変調シンボル又は多値変調シンボルの信号点の数より少なく、
前記送信フレームは、３シンボル以上のシンボルごとに１シンボルのパイロットシンボルを挿入する
無線通信装置。
【請求項２】  送信フレームタイミングにあわせて、パイロットシンボルを生成するパイロットシンボル生成部と、
前記送信フレームタイミングにあわせて、送信データを用いて、２種類以上のＰＳＫ変調シンボル及びパイロットシンボルの直前直後のシンボルを生成する変調シンボル生成部と、
パイロットシンボルの直前直後のシンボルとパイロットシンボルと他の無線通信装置から送信される変調信号決定情報により選択されたＰＳＫ変調シンボルとを含む送信フレームを構成する切り替え部と、
送信フレームを無線送信する無線部と、
を有する無線通信装置であって、
パイロットシンボルの直前直後のシンボルは、ＰＳＫ変調シンボルの信号点の数より少なく、
前記送信フレームは、３シンボル以上のシンボルごとに１シンボルのパイロットシンボルを挿入する
無線通信装置。
【請求項３】  送信フレームタイミングにあわせて、パイロットシンボルを生成するパイロットシンボル生成ステップと、
送信フレームタイミングにあわせて、送信データを用いて、ＰＳＫ変調シンボル、多値変調シンボル及びパイロットシンボルの直前直後のシンボルを生成する変調シンボル生成ステップと、
パイロットシンボルの直前直後のシンボルとパイロットシンボルと他の無線通信装置から送信される変調信号決定情報により選択されたＰＳＫ変調シンボル又は多値変調シンボルとを含む送信フレームを構成する切り替えステップと、
送信フレームを無線送信する無線ステップと
を有する無線通信方法であって、
前記多値変調シンボルは、振幅成分に情報を含む１６値以上のシンボルであり、
前記パイロットシンボルの直前直後のシンボルは、ＰＳＫ変調シンボル又は多値変調シンボルの信号点の数より少なく、
前記送信フレームは、３シンボル以上のシンボルごとに１シンボルのパイロットシンボルを挿入する
無線通信方法。
【請求項４】  送信フレームタイミングにあわせて、パイロットシンボルを生成するパイロット信号生成ステップと、
送信フレームタイミングにあわせて、送信データを用いて、２種類以上のＰＳＫ変調シンボル及びパイロットシンボルの直前直後のシンボルを生成する変調信号生成ステップと、
パイロットシンボルの直前直後のシンボルとパイロットシンボルと他の無線通信装置から送信される変調信号決定情報により選択されたＰＳＫ変調シンボルとを含む送信フレームを構成する切り替えステップと、
送信フレームを無線送信する無線ステップと、
を有する無線通信送信方法であって、
パイロットシンボルの直前直後のシンボルは、ＰＳＫ変調シンボルの信号点の数より少なく、
前記送信フレームは、３シンボル以上のシンボルごとに１シンボルのパイロットシンボルを挿入する
無線通信方法。
【手続補正３】
【補正対象書類名】明細書
【補正対象項目名】０００６
【補正方法】変更
【補正の内容】
【０００６】
【発明の実施の形態】
本発明の第１の発明は、基地局と端末における無線通信において、基地局から端末への無線通信を、ＰＳＫ変調方式および振幅成分に情報を含む１６値以上の多値変調方式のうちの２種類以上の変調方式で行い、端末から基地局への無線通信を、ＰＳＫ変調方式のうち２種類以上の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正４】
【補正対象書類名】明細書
【補正対象項目名】０００７
【補正方法】変更
【補正の内容】
【０００７】
第２の発明は、基地局と端末における無線通信において、基地局から端末への無線通信を、ＰＳＫ変調および振幅成分に情報を含む１６値以上の多値変調方式のうちの２種類以上の変調方式で行い、端末から基地局への無線通信を、ＰＳＫ変調方式のうち１種類の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正５】
【補正対象書類名】明細書
【補正対象項目名】０００８
【補正方法】変更
【補正の内容】
【０００８】
第３の発明は、基地局と端末における無線通信において、基地局から端末への無線通信を、振幅成分に情報を含む１６値以上の多値変調方式のうちの１種類の変調方式で行い、端末から基地局への無線通信を、ＰＳＫ変調方式のうち２種類以上の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正６】
【補正対象書類名】明細書
【補正対象項目名】０００９
【補正方法】変更
【補正の内容】
【０００９】
第４の発明は、基地局と端末における無線通信において、基地局から端末への無線通信を、ＰＳＫ変調方式および１６値以上のＱＡＭ方式のうちの２種類以上の変調方式で行い、端末から基地局への無線通信を、ＰＳＫ変調方式のうち２種類以上の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正７】
【補正対象書類名】明細書
【補正対象項目名】００１０
【補正方法】変更
【補正の内容】
【００１０】
第５の発明は、基地局と端末における無線通信において、基地局から端末への無線通信を、ＰＳＫ変調方式および１６値以上の多値ＱＡＭ方式のうちの２種類以上の変調方式で行い、端末から基地局への無線通信を、ＰＳＫ変調方式のうち１種類の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正８】
【補正対象書類名】明細書
【補正対象項目名】００１１
【補正方法】変更
【補正の内容】
【００１１】
第６の発明は、基地局と端末における無線通信において、基地局から端末への無線通信を、１６値以上の多値ＱＡＭ方式のうちの１種類の変調方式で行い、端末から基地局への無線通信を、ＰＳＫ変調方式のうち２種類以上の変調方式で行うことを特徴とするディジタル無線通信方式としたものであり、これにより、情報のデータ伝送速度の向上および品質の向上を両立するとともに、小型低消費電力の端末を構成できるという作用を有する。
【手続補正９】
【補正対象書類名】明細書
【補正対象項目名】００１２
【補正方法】変更
【補正の内容】
【００１２】
第７の発明は、基地局と端末における無線通信において、基地局から端末への無線通信を、ＯＦＤＭ方式を用い、端末から基地局への無線通信を、シングルキャリア方式を用いたディジタル無線通信方式としたものであり、これにより、情報のデータ伝送速度の向上および品質の向上を両立するとともに、端末から基地局への無線通信をＰＳＫ変調とすることで小型低消費電力の端末を構成できるという作用を有する。
【手続補正１０】
【補正対象書類名】明細書
【補正対象項目名】００１３
【補正方法】変更
【補正の内容】
【００１３】
第８の発明は、基地局と端末における無線通信において、基地局から端末への無線通信を、ＯＦＤＭ方式を用い、端末から基地局への無線通信を、シングルキャリア方式を用いたディジタル無線通信方式としたものであり、これにより、情報のデータ伝送速度の向上および品質の向上を両立するとともに、小型低消費電力の端末を構成できるという作用を有する。
【手続補正１１】
【補正対象書類名】明細書
【補正対象項目名】００１４
【補正方法】変更
【補正の内容】
【００１４】
第９の発明は、第８の発明において、基地局から端末への無線通信のＯＦＤＭ方式の各サブキャリアの変調方式を環境により切り替えることを特徴としたディジタル無線通信方式としたものであり、これにより、情報のデータ伝送速度の向上および品質の向上を両立するとともに、小型低消費電力の端末を構成できるという作用を有する。
【手続補正１２】
【補正対象書類名】明細書
【補正対象項目名】００１５
【補正方法】変更
【補正の内容】
【００１５】
第１０の発明は、第８の発明、第９の発明において、端末から基地局への無線通信のシングルキャリア方式の変調方式を環境により切り替えることを特徴としたディジタル無線通信方式としたものであり、これにより、情報のデータ伝送速度の向上および品質の向上
を両立するとともに、小型低消費電力の端末を構成できるという作用を有する。
【手続補正１３】
【補正対象書類名】明細書
【補正対象項目名】００１６
【補正方法】変更
【補正の内容】
【００１６】
第１１の発明は、第８から１０の発明において、端末から基地局への無線通信のシングルキャリアの変調方式をＰＳＫ変調に限定したディジタル無線通信方式としたものであり、これにより、情報のデータ伝送速度の向上および品質の向上を両立するとともに、小型低消費電力の端末を構成できるという作用を有する。
【手続補正１４】
【補正対象書類名】明細書
【補正対象項目名】００１７
【補正方法】変更
【補正の内容】
【００１７】
第１２の発明は、第１から１１の発明におけるディジタル無線通信方式を用いた無線通信システムとしたものであり、これにより、情報のデータ伝送速度の向上および品質の向上を両立するとともに、小型低消費電力の端末を構成できるという作用を有する。
【手続補正１５】
【補正対象書類名】明細書
【補正対象項目名】００１８
【補正方法】変更
【補正の内容】
【００１８】
第１３の発明は、第１から１１の発明におけるディジタル無線通信方式を用いた基地局としたものであり、これにより、情報のデータ伝送速度の向上および品質の向上を両立するとともに、小型低消費電力の端末を構成できるという作用を有する。
【手続補正１６】
【補正対象書類名】明細書
【補正対象項目名】００１９
【補正方法】変更
【補正の内容】
【００１９】
第１４の発明は、第１から１１の発明におけるディジタル無線通信方式を用いた端末としたものであり、これにより、情報のデータ伝送速度の向上および品質の向上を両立するとともに、小型低消費電力の端末を構成できるという作用を有する。